(57)【要約】【課題】本発明は、容易に組み立てて遊ぶことができる包装容器を提供することを課題とする。【解決手段】  内部に収容空間Ｓを有する箱状の容器本体１００を備え、前記容器本体１００は、底面１を２つ折り可能な屈曲部１１と、天面２を分離可能な分離部２１と、を有していることを特徴とする構成となっている。このような構成とすることにより、天面２の分離部２１を分離し、底面１の屈曲部１１を屈曲させるだけで、パペットを形成して遊ぶことができる。【選択図】図１
2019064638.tif 000002
【特許請求の範囲】
【請求項１】
内部に収容空間を有する箱状の容器本体を備え、
前記容器本体は、底面を２つ折り可能な屈曲部と、
天面を分離可能な分離部と、を有していることを特徴とする包装容器。
【請求項２】
前記容器本体は、深さ方向に沿って分離可能な第二分離部を有し、
この第二分離部は、前記屈曲部と前記分離部に接続されていることを特徴とする、請求項１に記載の包装容器。
【請求項３】
前記容器本体は、前記天面に接続される上部接続辺及び前記底面に接続される下部接続辺が設けられた第一側面を有し、
前記上部接続辺と前記下部接続辺とは平行に配置されていることを特徴とする、請求項１又は請求項２に記載の包装容器。
【請求項４】
前記分離部は、前記天面の偏心位置に配置された摘まみ部と、
この摘まみ部から前記天面の中心方向に向かって広がる切取部と、を有していることを特徴とする、請求項１〜３の何れかに記載の包装容器。
【請求項５】
前記切取部の広がり角度は、１４０〜１６０°の範囲に設定されていることを特徴とする、請求項４に記載の包装容器。
【請求項６】
前記底面は、前記屈曲部によって区画される第一領域と第二領域と有し、
前記第一領域と前記第二領域は同一形状に形成されることを特徴とする、請求項１〜５の何れかに記載の包装容器。
【発明の詳細な説明】
【技術分野】
【０００１】
本発明は、菓子等の内容物を収納可能な包装容器に関する。
【背景技術】
【０００２】
従来、菓子等の内容物を収容した包装容器は、その役割を終えると廃棄されるのが通常であった。そのような中、包装の役割を終えた容器を、その廃棄前にもう一度利用することができる包装容器が種々提案されている。
【０００３】
例えば、特許文献１には、包装の役割を終えた容器を、仮面や応援用のメガホンとして利用することができる簡易食品箱の技術が記載されている。
【先行技術文献】
【特許文献】
【０００４】
【特許文献１】特開２００６−３１５７４３号公報
【発明の概要】
【発明が解決しようとする課題】
【０００５】
ところで、特許文献１に記載の簡易食品箱を、仮面や応援用メガホンとして利用する場合には、内箱を包囲している蓋体を取り外し、仮面やメガホンとして利用できるよう手を加えて加工するという手順を経る必要がある。そのため、再利用する前に、使用者に手間が生じるという問題があった。
【０００６】
さらに、製造面から言えば、特許文献１の蓋体のように形状が複雑である場合には、製函機を用いた機械製函による組み立てが難しい。そのため、人間の手作業等で組み立てを行う必要があり、大量生産できないという問題や、人件費等のコストが増大するという問題があった。
【０００７】
本発明は、以上のような点を考慮してなされたものであり、容易に玩具へ変形可能な包装容器を提供することを課題とする。
また、本発明は、機械製函が可能な玩具に変形する包装容器を提供することを課題とする。
【課題を解決するための手段】
【０００８】
上記課題を解決するため、本発明に係る包装容器は、内部に収容空間を有する箱状の容器本体を備え、前記容器本体は、底面を２つ折り可能な屈曲部と、天面を分離可能な分離部と、を有していることを特徴とする。
【０００９】
本発明に係る包装容器によれば、天面の分離部を分離し、底面の屈曲部を２つ折りするだけで、包装容器を開封すると共に、パペット（玩具）へ変形させて遊ぶことができる。すなわち、収容空間から菓子などの内容物を取り出すための開封手順と、パペットに変形させる変形手順と、を同じ動作で行うことができ、使用者は本発明に係る包装容器を容易に玩具へ変形させてパペットで遊ぶことができる。
【００１０】
本発明の好ましい形態では、前記容器本体は、深さ方向に沿って分離可能な第二分離部を有し、この第二分離部は、前記屈曲部と前記分離部に接続されていることを特徴とする。
このように、屈曲部と分離部を接続する第二分離部を有することにより、第二分離部に沿って容器本体の稜や側面を分離することで、パペットに好ましい形状に容易に分離させることができる。
【００１１】
本発明の好ましい形態では、前記容器本体は、前記天面に接続される上部接続辺及び前記底面に接続される下部接続辺が設けられた第一側面を有し、前記上部接続辺と前記下部接続辺とは平行に配置されていることを特徴とする。
このように、上部接続辺と下部接続辺が平行に配置されていることにより、製函機を用いて機械製函することができる。
【００１２】
本発明の好ましい形態では、前記分離部は、前記天面の偏心位置に配置された摘まみ部と、この摘まみ部から前記天面の中心方向に向かって広がる切取部と、を有していることを特徴とする。
このような構成とすることにより、摘まみ部を引っ張るだけで容易に天面を分割して容器本体を開封することができる。
【００１３】
本発明の好ましい形態では、前記切取部の広がり角度は、１４０〜１６０°の範囲に設定されていることを特徴とする。
切取り部の広がり角度をこのような範囲に設定することにより、さらに容易に容器本体を開封することができる。
【００１４】
本発明の好ましい形態では、前記底面は、前記屈曲部によって区画される第一領域と第二領域と有し、前記第一領域と前記第二領域は同一形状に形成されることを特徴とする。
【発明の効果】
【００１５】
本発明によれば、容易に玩具へ変形可能な包装容器を提供することができる。
また、本発明によれば、機械製函が可能な玩具に変形する包装容器を提供することができる。
【図面の簡単な説明】
【００１６】
【図１】本発明の一実施形態に係る包装容器の展開図である。
【図２】本発明の一実施形態に係る包装容器の斜視図である。
【図３】本発明の一実施形態に係る包装容器の斜視図である。
【図４】本発明の一実施形態に係る包装容器の開封手順を示す説明図である。
【図５】本発明の一実施形態に係る包装容器の開封手順を示す説明図である。
【図６】本発明の一実施形態に係る包装容器の使用方法を示す説明図である。
【図７】本発明の一実施形態に係る包装容器の使用方法を示す説明図である。
【図８】本発明の他の実施形態に係る包装容器の展開図である。
【図９】本発明の他の実施形態に係る包装容器の展開図である。
【図１０】本発明の他の実施形態に係る包装容器の展開図である。
【発明を実施するための形態】
【００１７】
以下、本発明を図面に示した好ましい一実施形態について図１〜図７を用いて詳細に説明する。本発明の技術的範囲は、添付図面に示した実施形態に限定されるものではなく、特許請求の範囲に記載された範囲内において、適宜変更が可能である。
【００１８】
図１〜３は本実施形態に係る包装容器の構成を説明する図である。図１は組み立て前の包装容器の展開図である。図２は組み立て後の包装容器を斜め上方から観察した斜視図であり、図３は組み立て後の包装容器を斜め下方から観察した斜視図である。
【００１９】
本発明の一実施形態に係る包装容器は、図１のように形成された厚紙を折線Ｌ（図１中の点線）に沿って折ることで、内部に収容空間Ｓを有した箱状に成形される容器本体１００を備えている。この容器本体１００は、全ての面が長方形（正方形も長方形の一種である）で構成された６面体であり、底面１と、天面２と、第一側面３と、第二側面４と、第三側面５と、第四側面６と、を有している。
【００２０】
底面１は、第一側面３、第二側面４、第三側面５および第四側面６に隣接した面であり、方形状に形成されている。この底面１には、底面１を２つ折り可能な屈曲部１１が設けられている（図１中の一点鎖線）。
【００２１】
屈曲部１１は、底面１を第一領域１２と第二領域１３の２つの領域に区画しており、これらの２つの領域の表面が重ね合わさるように、２つ折り可能に設けられている。すなわち、この屈曲部１１は、底面１を区分し折り返し可能な構成であれば良く、例えば、折り返しやすいよう窪み等が形成された折線や、折り返し箇所を点線等で印刷した折線を例示することができる。また、この屈曲部１１は、本実施形態のように底面１の対角線上に設けても良いし、隣り合う辺上の点同士を結ぶ線分上や、対向する辺上の点同士を結ぶ線分上等に設けても良い。さらに、この屈曲部１１は、２つ折り可能な折線であれば良く、本実施形態のように直線状に形成しても良いし、「く」の字状等であっても良い。
【００２２】
第一領域１２は、容器本体１００をパペットに変形させた際に、口部の上側となる領域であり、牙Ｆ等を設けても良い。一方、第二領域１３は、容器本体１００をパペットに変形させた際に、口部の下側になる領域である。そのため、これら第一領域１２及び第二領域１３には、口の中を表すデザインが施されている。
【００２３】
なお、本実施形態においては、第一領域１２の形状と第二領域１３の形状とが一致するよう屈曲部１１が設けられている。このような構成とすることにより、容器本体１００をパペットに変形させた際に、第一領域１２（口部の上側）の外縁と、第二領域１３（口部の下側）の外縁とが、一致するように構成されている（図６参照）。
【００２４】
天面２は、第一側面３に隣接しており、天面２を２つの領域に分離可能な分離部２１が設けられている（図１中の二点鎖線）。
【００２５】
この分離部２１は、天面２を第三領域２２と第四領域２３の２つの領域に区画し、これらの２つの領域が分離可能なよう設けられている。すなわち、この分離部２１は、天面２を分断可能な構成であれば良く、本実施形態においては、分離部分２１１を取り外すことで第三領域２２と第四領域２３とが分離する構成となっている。
【００２６】
なお、第三領域２２は、容器本体１００をパペットに変形させた際に、頭上部となる領域である。一方、第四領域２３は、容器本体１００をパペットに変形させた際に、顎下部となる領域である。
【００２７】
なお、この分離部２１は、屈曲部１１と相対するよう配置されており、この屈曲部１１が延びる同様の方向に沿って天面２を分離可能なよう設けられている。そのため、第三領域２２の下方に第一領域１２が、第四領域２３の下方に第二領域１３が、それぞれ配置されている。なお、分離部分２１１を設けずに切取線のみで分離部２１を形成することも可能であるし、既に分離された切れ込み等を含んでいても良い。
【００２８】
図４は、分離部分２１１を取り外し、本実施形態に係る包装容器を開封する様子を示す説明図である。
分離部分２１１は、第三領域２２と第四領域２３の間に配置され、把持することが可能な摘まみ部２１２を有している。この摘まみ部２１２を引っ張り上げることで、天面２が分離部２１に沿って破断し、分離部分２１１を分離させることができる。また、分離部分２１１の分離後は、第三領域２２に接続された上鬣（たてがみ）部Ｍ１や右耳部Ｅ１を立ちあげる（図４参照）。
【００２９】
摘まみ部２１２は、天面２の偏心位置に配置されており、この摘まみ部２１２から延びる分離部２１には、天面２の中心方向に向かって広がる広がり角度θが設けられている。この広がり角度θは、１４０〜１６０°の範囲に設定されていることが望ましい。
【００３０】
分離部２１の広がり角度θがこのような範囲に設定されていることにより、摘まみ部２１２を摘まみ上げる力を分離部２１に伝えることができ、分離部分２１１を容易に分離させることができる。この広がり角度θの範囲は、発明者等が度重なる試行錯誤により、容易に破断可能な角度を見出したものである。
【００３１】
また、天面２は、第三側面５に接続するためののりしろ２４と、第二側面４に接続するためのフラップ２５と、第四側面６に接続するためのフラップ２６と、を有している。このフラップ２５，２６には、それぞれ切込部２５１，２６１が設けられている。そして、切込部２５１には第二側面４の差込部４１が、切込部２６１には第四側面６の差込部６１が、それぞれ差し込まれて接続されるよう構成されている。
【００３２】
第一側面３は、底面１と天面２に隣接しており、第二側面４と接続されるフラップ３１と、第四側面６側に配置される左上鬣部Ｍ２と、を有している。
この第一側面３には、天面２に接続される上部接続辺Ｌ１と、底面１に接続される下部接続辺Ｌ２と、が設けられている。この上部接続辺Ｌ１と下部接続辺Ｌ２とは平行に配置されており、このような形状の容器本体１００を採用することにより、従来の製函機を用いた機械製函による組み立てを行うことができる。
【００３３】
第二側面４は、底面１に隣接しており、天面２の切込部２５１に差し込まれる差込部４１と、左耳部Ｅ２と、第四側面６側に配置される右上鬣部Ｍ３と、を有している。
第三側面５は、底面１に隣接しており、第四側面６と接続されるフラップ５１と、第二側面４側に配置される右下鬣部Ｍ４と、を有している。
第四側面６は、底面１に隣接しており、天面２の切込部２６１に差し込まれる差込部６１と、第一側面３側に配置される左下鬣部Ｍ５と、を有している。
【００３４】
左上鬣部Ｍ２と左下鬣部Ｍ５の間には、切取線Ｃが設けられており、パペットに変形する際に切り離し可能な構成となっている。同様に、右上鬣部Ｍ３と右下鬣部Ｍ４の間にも切取線Ｃが設けられている。このように、第二側面４と第三側面５の間、及び、第一側面３と第四側面６の間には、それぞれ側面を分離・分断可能な第二分離部７が形成されており、この第二分離部７と分離部２１を分離させることで、屈曲部１１を軸として容器本体１００全体が２つ折り可能なよう構成されている。
【００３５】
すなわち、容器本体１００は、深さ方向に沿って分離可能な第二分離部７を有し、この第二分離部７は、屈曲部１１と分離部２１に接続されている。
なお、本実施形態における第二分離部７は、鬣部Ｍ２〜Ｍ５に設けた切取線Ｃによって分離する構成を示したが、箱の稜線上に直接切取線が配置される構成としても良いし、既に分離された切れ込み等で形成することも可能である。
また、本実施形態における第二分離部７は、箱の稜線上に設けられた例を示したが、箱の側面を分断するように側面上に設けても良い。
【００３６】
図５は、本実施形態に係る包装容器の開封手順を示す説明図である。この図５には、容器本体１００全体を、屈曲部１１を軸に２つ折りする様子が示されている。図５（ａ）は分離部分２１１を分離した状態を、図５（ｂ）は屈曲部１１を軸に底面１を２つ折りする様子を、図５（ｃ）は鬣部Ｍ２〜Ｍ５を切取線Ｃに沿って分離し正面側に向かって立ち上げる様子をそれぞれ示している。
【００３７】
このように、本発明に係る包装容器は、分離部分２１１を取り外し、屈曲部１１を軸に２つ折りすることにより、容器本体１００内部の収容空間Ｓにアクセス可能となり、収容空間Ｓに収容された菓子等の収容物を取りだすことができるよう構成されている（開封手順）。
また、本発明に係る包装容器は、分離部分２１１を取り外し、屈曲部１１を軸に２つ折りすることにより、パペットに変形させて遊ぶことができるよう構成されている（変形手順）。
すなわち、本発明に係る包装容器は、開封手順と変形手順とを全く同じ動作で行うことができ、開封した後はすぐにパペットとして遊ぶことができる。
【００３８】
本実施形態においては、第一側面３及び第四側面６の表面に左半面の顔デザインが施されており、第二側面４及び第三側面５の表面に右半面の顔デザインが施されている。この顔デザインの配置やデザインは、パペットの種類（モチーフにする動物の種類等）によって適宜変更が可能であり、例えば、第一側面３及び第四側面６を正面とする場合には、第一側面３及び第四側面６に顔正面のデザインを施しても良い。
【００３９】
さらに、本実施形態では、４つの側面を有した直方体状の容器本体１００を示したが、パペットのデザインによって、他の形状を採用することも可能である。例えば、略円柱や略楕円柱、六角柱や八角柱等の多角柱等、パペットのデザインに合わせて任意の形状を採用することができる。また、底面１や天面２の形状は、容器本体１００の形状に合わせて、正方形や長方形、略円形、略楕円形、多角形等を採用することができる（図８ないし図１０の他の実施形態参照）。
【００４０】
次に、図６及び図７を参照して、本発明の一実施形態に係る包装容器の利用方法について詳細に説明する。
【００４１】
図６は容器本体１００をパペットとして使用する様子を示す説明図であり、図６（ａ）は口部を開いた様子を、図６（ｂ）は口部を閉じた様子をそれぞれ示している。
本実施形態においては、屈曲部１１によって区画される第一領域１２と第二領域１３とが、同じサイズ・形状に形成されるため、パペットの口部を閉じた際に、第一領域１２（口部の上側）の外縁と、第二領域１３（口部の下側）の外縁とが、一致するように構成されている。
【００４２】
図７は容器本体１００をパペットとして使用する様子を示す説明図であり、図７（ａ）は口部を開く様子を、図７（ｂ）は口部を閉じる様子をそれぞれ示している。
変形後の容器本体１００をパペットとして使用する場合には、使用者の手Ｈを第一領域１２の裏面側と第二領域１３の裏面側に添える。そして、口部を開くときは屈曲部１１が開こうとする復元力を利用し、口部を閉じるときは、使用者の手Ｈで第一領域１２と第二領域１３を近づけるように押圧する。
【００４３】
本発明に係る包装容器によれば、容器本体１００が、底面１を２つ折り可能な屈曲部１１と、天面２を分離可能な分離部２１と、を有していることにより、収容空間Ｓから菓子等の内容物を取り出すための開封手順と、パペットに変形させる変形手順とを、同時に行うことができる。
すなわち、容器本体１００の開封手順は、分離部２１により天面２を分離させて、屈曲部１１を折り曲げることで、収容空間Ｓに収容された内容物を取り出すことができる。ここで、本発明に係る包装容器をパペットに変形させる変形手順が、容器本体１００の開封手順と同じため、内容物を取り出した後の容器本体１００は、すぐにパペットとして遊べることができ、使用者は容易に玩具へ変形させることができる。
【００４４】
本発明によれば、容器本体１００は、天面２に接続される上部接続辺Ｌ１及び底面１に接続される下部接続辺Ｌ２が設けられた第一側面３を有し、上部接続辺Ｌ１と前記下部接続辺Ｌ２とは平行に配置されている。このような形状の容器本体１００を採用することにより、容器本体１００の組立時（製函時）に製函機を用いることができる。そのため、人間の手作業で組み立てを行う必要がなく、大量生産が可能であり、人件費などのコストを低減することができる。
【００４５】
以下、本発明の他の実施形態に係る包装容器について、図８ないし図１０を参照して詳細に説明する。この他の実施形態に係る包装容器は、先の一実施形態に係る包装容器とは異なる形状の容器本体を備えることを特徴とする。なお、同実施形態において、先の実施形態と基本的に同一の構成要素については、同一の符号を付してその説明を簡略化する。
【００４６】
図８〜図１０は、本発明の他の実施形態に係る包装容器の形状を示す展開図である。
図８は、八角柱状に組み立てられる容器本体２００の展開図であり、底面１及び天面２が八角形に形成され、側面が八面形成されている。
図９は、六角柱状に組み立てられる容器本体３００の展開図であり、底面１及び天面２が六角形に形成され、側面が六面形成されている。
図１０は、側面に湾曲面８が含まれた柱状に組み立てられる容器本体４００の展開図であり、底面１及び天面２に湾曲部ＣＰが形成され、側面が六面形成されている。この図１０では、六面の側面の内、二面に湾曲面８が形成されている例を示したが、パペットのデザインによって、任意の数の側面に湾曲面８を採用することができる。
【００４７】
このように、本発明はパペットのモチーフに適した形状の容器本体を選択することができる。これらの他の実施形態においても、一実施形態と同様に、収容空間Ｓから菓子などの内容物を取り出すための開封手順と、パペットに変形させる変形手順と、を同じ動作で行うことができる。
【００４８】
なお、のりしろやフラップ、フラップが差し込まれる切込部は、容器本体２００，３００，４００を組み立てるのに適切な任意の位置に配置すればよい。
【符号の説明】
【００４９】
１００，２００，３００，４００  容器本体
１  底面
１１  屈曲部
２  天面
２１  分離部
２１１  分離部分
３  第一側面
４  第二側面
５  第三側面
６  第四側面
７  第二分離部
８  湾曲面
【図１】
2019064638.tif 000003
【図２】
2019064638.tif 000004
【図３】
2019064638.tif 000005
【図４】
2019064638.tif 000006
【図５】
2019064638.tif 000007
【図６】
2019064638.tif 000008
【図７】
2019064638.tif 000009
【図８】
2019064638.tif 000010
【図９】
2019064638.tif 000011
【図１０】
2019064638.tif 000012
【手続補正書】
【提出日】平成30年5月1日(2018.5.1)
【手続補正１】
【補正対象書類名】特許請求の範囲
【補正対象項目名】全文
【補正方法】変更
【補正の内容】
【特許請求の範囲】
【請求項１】
内部に収容空間を有する箱状の容器本体を備え、
前記容器本体は、底面を２つ折り可能な屈曲部と、
天面を分離可能な分離部と、を有し、
前記屈曲部は前記底面の対角線上に設けられていることを特徴とする包装容器。
【請求項２】
内部に収容空間を有する箱状の容器本体を備え、
前記容器本体は、底面を２つ折り可能な屈曲部と、
天面を分離可能な分離部と、を有し、
前記屈曲部は前記底面の隣り合う辺上の点同士を結ぶ線分上に設けられていることを特徴とする包装容器。
【請求項３】
前記容器本体は、前記底面と前記天面に隣接する複数の側面を備え、
前記側面は、左半面の顔デザインが施された側面と、
右半分の顔デザインが施された側面と、を有していることを特徴とする、請求項１又は請求項２に記載の包装容器。
【請求項４】
前記屈曲部は、前記底面を第一領域と第二領域の２つに区画し、
前記分離部は、前記天面を第三領域と第四領域の２つに区画し、
前記容器本体は、２つの差込部と、前記差込部を差し込んで接続する切込部とをさらに備え、
一方の前記差込部と前記切込部は、前記第三領域と前記側面の間に配置され、
他方の前記差込部と前記切込部は、前記第四領域と前記側面の間に配置されていることを特徴とする、請求項１〜３の何れかに記載の包装容器。
【請求項５】
前記容器本体は、深さ方向に沿って分離可能な第二分離部を有し、
この第二分離部は、前記屈曲部と前記分離部に接続されていることを特徴とする、請求項１〜４の何れかに記載の包装容器。
【請求項６】
前記容器本体は、前記天面に接続される上部接続辺及び前記底面に接続される下部接続辺が設けられた第一側面を有し、
前記上部接続辺と前記下部接続辺とは平行に設置されていることを特徴とする、請求項１〜５の何れかに記載の包装容器。
【請求項７】
前記分離部は、前記天面の偏心位置に配置された摘まみ部と、
この摘まみ部から前記天面の中心方向に向かって広がる広がり角度を有した切取部と、を備え、
前記切り取り部は前記天面内に配置されていることを特徴とする、請求項１〜６の何れかに記載の包装容器。
【手続補正書】
【提出日】平成30年10月31日(2018.10.31)
【手続補正１】
【補正対象書類名】特許請求の範囲
【補正対象項目名】全文
【補正方法】変更
【補正の内容】
【特許請求の範囲】
【請求項１】
内部に収容空間を有しパペットに変形可能な箱状の容器本体を備え、
前記容器本体は、底面を２つ折り可能な屈曲部と、
天面を分離可能な分離部と、
左半分の顔デザインが施された側面と、この側面の右側に配置され右半分の顔デザインが施された側面と、を有し、
前記屈曲部は、前記底面の対角線上に設けられ、
前記分離部は、前記天面の対角線上に設けられ、
前記屈曲部と前記分離部は、相対するように配置されていることを特徴とする包装容器。
【請求項２】
前記屈曲部は、前記底面を第一領域と第二領域の２つに区画し、
前記分離部は、前記天面を第三領域と第四領域の２つに区画し、
前記容器本体は、２つの差込部と、前記差込部を差し込んで接続する切込部とをさらに備え、
一方の前記差込部と前記切込部は、前記第三領域と前記側面の間に配置され、
他方の前記差込部と前記切込部は、前記第四領域と前記側面の間に配置されていることを特徴とする、請求項１に記載の包装容器。
【請求項３】
前記容器本体は、深さ方向に沿って分離可能な第二分離部を有し、
この第二分離部は、前記屈曲部と前記分離部に接続されていることを特徴とする、請求項１または請求項２に記載の包装容器。
【請求項４】
前記容器本体は、前記天面に接続される上部接続辺及び前記底面に接続される下部接続辺が設けられた第一側面を有し、
前記上部接続辺と前記下部接続辺とは平行に設置されていることを特徴とする、請求項１〜３の何れかに記載の包装容器。
【請求項５】
前記分離部は、前記天面の偏心位置に配置された摘まみ部と、
この摘まみ部から前記天面の中心方向に向かって広がる広がり角度を有した切取部と、を備え、
前記切り取り部は前記天面内に配置されていることを特徴とする、請求項１〜４の何れかに記載の包装容器。